(57)【要約】【課題】頭部や胸部を高温又は高温・高湿条件の下に置かずに、長時間にわたって優れた岩盤浴効果を得ること。【解決手段】順次下方から積層する、仕切ボード、断熱材、断熱材、コンクリート蓄熱層及び蓄熱接触層からなる岩盤部と、岩盤部のコンクリート蓄熱層に埋め込んだ温水配管と、岩盤部上に配した浴槽部３とからなる。浴槽部３は、側壁部５で囲まれた人が横たわり得る長さの方形浴槽４と、方形浴槽４を上半身装入側４ｂと下半身装入側４ａとに挿脱自在に仕切る仕切板６と、上半身装入側４ｂに構成した斜面部７と、方形浴槽４の下半身装入側４ａを閉じる被覆部材８とからなる。なお仕切板６には、中央下部に身体の腹部付近を通過させ得る半円切欠部６ａを開口する。斜面部７は仕切板６から遠くなる方が高くなる。【選択図】  図５
2008194395.tif 000002
【特許請求の範囲】
【請求項１】
岩石類を組み合わせて構成した岩盤部と、該岩盤部に埋め込んだ加熱手段と、該岩盤部上に配した浴槽部とで構成した岩盤浴装置であって、
該浴槽部を、人が横たわり得る長さの方形浴槽に構成すべく周囲を囲んだ側壁部と、該方形浴槽を更に上半身装入側と下半身装入側とに挿脱自在に仕切る仕切板であって、その中央下部に身体の腹部付近を通過させる半円切欠部を備えた仕切板と、前記方形浴槽の上半身装入側に配した斜面部であって、下半身を前記仕切板の半円切欠部を通じて下半身装入側に装入して横たわる入浴者の上半身を頭部側が高くなるように支える斜面部と、前記方形浴槽の下半身装入側の上部を閉じる被覆部材とで構成した岩盤浴装置。
【請求項２】
前記岩盤部を、最下部の仕切ボードと、該仕切ボードの直上に配した断熱材層と、該断熱材層の上に構成した、温水配管を備えたコンクリート蓄熱層と、該コンクリート蓄熱層の上に構成した、砂及び焼成石の混合層である最上部の蓄熱接触層とで構成した請求項１の岩盤浴装置。
【請求項３】
前記浴槽部の前記仕切板を前記半円切欠部のない仕切板に交換し、前記方形浴槽の下半身装入部の上方を閉じる被覆部材を、長さ方向に分割した着脱自在な複数枚の支分蓋材で構成すると共に、該仕切板に最も近い位置の支分蓋材として、その仕切板側に上半身を起こした入浴者の腹部乃至胸部が通過可能な半円形切欠を構成したそれを採用した請求項１又は２の岩盤浴装置。
【請求項４】
前記側壁部の内、下半身装入側のそれの上に追加側壁部を重ねてその高さを高くすることができるように構成した請求項１、２又は３の岩盤浴装置。
【発明の詳細な説明】
【技術分野】
【０００１】
本発明は、その上に横たわった入浴者の身体に岩盤からの温熱により健康増進作用を与える岩盤浴装置に関する。
【背景技術】
【０００２】
岩盤浴は、身体を温めて健康を増進しようとする健康法の一つである。これは、加熱した岩盤床（特許文献１、２）上又は岩盤で構成したベッド（特許文献３）上に横たわって該岩盤からの遠赤外線を受けようとするものであり、これによる発汗作用を通じて、同時に蓄積した水銀や鉛又はカドミウム等の有害ミネラル分等を身体から排出し、血液の浄化や自律神経の調整等の効果を得ようとするものである。岩盤浴は、このような作用を通じて、ストレスや疲れ・肩こりの解消、肌荒れ・乾燥肌の改善、冷え症の改善、便秘の解消、肥満・高血圧の改善等の効果を得ることが期待されている。
【０００３】
このような岩盤浴は、前記のように、岩盤床や岩盤で構成されたベッド上に横たわって該岩盤から放射される遠赤外線等による温熱作用を受けようとするものであるが、この温熱作用は、部屋の内外で床又はベッドに横たわって受けるものであり、身体全体が高温又は高温・高湿状態の中に置かれるのが普通である。特許文献２の岩盤浴用ボックスは、かなり大きな物のようであるが、これを使用する場合は、入浴者は、高温・高湿条件のボックス内で床に横たわってその作用を受けることになると理解される。またこれより小型のボックスで、入浴者は頭部以外をその中に入れてその温熱作用を受ける、というタイプの物があるが、この場合は、当然、入浴者は、頭部以外は高温・高湿条件の中に置かれることになる。
【０００４】
岩盤浴は健康の増進のために優れた作用を持つ物であることは認められるが、頭部及び胸部も同時に高温・高湿条件の中に置かれ、それが長時間にわたる場合には、心臓に負担となる等により、かえって害となる場合もあり、そのため、優れた作用を持つ岩盤浴の長時間の利用ができない場合が多い。
【０００５】
【特許文献１】特開２００５−２５３９３３号公報
【特許文献２】特開２００６−３３４２５８号公報
【特許文献３】特開２００５−２４５６３１号公報
【発明の開示】
【発明が解決しようとする課題】
【０００６】
本発明は、以上の従来例の問題点を解消し、頭部や胸部を高温又は高温・高湿条件の下に置かずに、長時間にわたって優れた岩盤浴効果を得ることができる岩盤浴装置を提供することを解決の課題とする。
【課題を解決するための手段】
【０００７】
本発明の１は、岩石類を組み合わせて構成した岩盤部と、該岩盤部に埋め込んだ加熱手段と、該岩盤部上に配した浴槽部とで構成した岩盤浴装置であって、
該浴槽部を、人が横たわり得る長さの方形浴槽に構成すべく周囲を囲んだ側壁部と、該方形浴槽を更に上半身装入側と下半身装入側とに挿脱自在に仕切る仕切板であって、その中央下部に身体の腹部付近を通過させる半円切欠部を備えた仕切板と、該方形浴槽の上半身装入側に配した斜面部であって、下半身を前記仕切板の半円切欠部を通じて下半身装入側に装入して横たわる入浴者の上半身を頭部側が高くなるように支える斜面部と、方形浴槽の前記下半身装入側の上部を閉じる被覆部材とで構成した岩盤浴装置である。
【０００８】
本発明の２は、本発明の１の岩盤浴装置に於いて、前記岩盤部を、最下部の仕切ボードと、該仕切ボードの直上に配した断熱材層と、該断熱材層の上に構成した、温水配管を備えたコンクリート蓄熱層と、該コンクリート蓄熱層の上に構成した、砂及び焼成石の混合層である最上部の蓄熱接触層とで構成したものである。
【０００９】
本発明の３は、本発明の１又は２の岩盤浴装置に於いて、前記浴槽部の前記仕切板を前記半円切欠部のない仕切板に交換し、前記方形浴槽の下半身装入部の上方を閉じる被覆部材を、長さ方向に分割した着脱自在な複数枚の支分蓋材で構成すると共に、該仕切板に最も近い位置の支分蓋材として、その仕切板側に上半身を起こした入浴者の腹部乃至胸部が通過可能な半円形切欠を構成したそれを採用したものである。
【００１０】
本発明の４は、本発明の１、２又は３の岩盤浴装置に於いて、前記側壁部の内、下半身装入側のそれの上に追加側壁部を重ねてその高さを高くすることができるように構成したものである。
【発明の効果】
【００１１】
本発明の１の岩盤浴装置によれば、従来の岩盤浴装置と同様に、これを利用すれば、優れた温熱効果を得ることが可能であるが、これを利用する際に、腹部以下の下半身のみを高温又は高温・高湿状態の中に置き、上半身は概ね常温の中におくことができるため、頭部や胸部を高温に置いた場合の心臓に対する悪影響を回避して、長時間にわたってこれを利用し、温熱効果による優れた効果を確実に得ることが可能になるものである。
【００１２】
本発明の２の岩盤浴装置によれば、岩盤浴用の優れた岩盤を良好に構成することができる。
【００１３】
本発明の３の岩盤浴装置によれば、上半身を起こして岩盤浴を行うことが可能となり、本発明の１と同様の効果を確実に得ることができる。
【００１４】
本発明の４の岩盤浴装置によれば、上半身を起こした状態で、岩盤浴を行う場合には、腹部付近の深さをそうでない場合より若干深くする必要があるが、下半身装入側の深さがそのための深さに不十分であった場合でも、その深さを増加させてそれを可能とすることができる。
また以上の場合であっても通常は必ずしも深さが不十分でない場合であっても、腰の下に座椅子状の物を配する等によって不足することとなる虞がある場合等にも、該方形浴槽の深さを入浴者の腹部付近までに増加させることが可能となる。
【発明を実施するための最良の形態】
【００１５】
以下、本発明の実施の形態を、実施例に基づいて添付図面を参照しながら詳細に説明する。
【００１６】
この実施例の岩盤浴装置は、図３(a)、(b)〜図８(a)、(b)に示すように、岩石類を積層して構成した岩盤部１と、該岩盤部１に埋め込んだ温水配管（加熱手段）２と、該岩盤部１上に配した浴槽部３とで構成し、該浴槽部３を、方形浴槽４に構成すべく周囲を囲んだ側壁部５と、該方形浴槽４を更に上半身装入側４ｂと下半身装入側４ａとに挿脱自在に仕切る仕切板６と、該方形浴槽４の上半身装入側４ｂに配した斜面部７と、方形浴槽４の前記下半身装入側４ａの上部を閉じる被覆部材８とで構成したものである。
【００１７】
前記岩盤部１は、加熱によってより効果的な波長の遠赤外線を放射することが可能である限り、適当な構成のそれを採用することができる。この実施例では、図３(b)に示すように、岩盤部１は、最下部の仕切ボード１ａを基礎９上に配して構成する。この仕切ボード１ａとしては、この実施例では、コンパネを採用した。また基礎９は、砕石層１０上に構成したものである。前記仕切ボード１ａの上には断熱材１ｂを配し、該断熱材１ｂ上にコンクリート蓄熱層１ｃを構成し、更にその上に最上部の蓄熱接触層１ｄを構成する。岩盤部１は基本的に以上の構成である。
【００１８】
前記コンクリート蓄熱層１ｃは、図３(b)に示すように、珪藻土質である源治川石の粗粒と高密度の溶岩の粗粒と細砂の混合物にセメントを添加混合してコンクリートを作成し、該コンクリートを、予めその上層に温水配管２を位置決めしておいた上で、打設して構成したものである。該高密度の溶岩は蓄熱力が大きいため、配合割合により所望の蓄熱力を得ることができる。なお、該温水配管２は、図３(a)に示すように、平面から見ると、その往路配管部２ａと復路配管部２ｂとを平行に並べて、前記方形浴槽４の一方の側部下から他方の側部下まで両端部下間を往復させながら配したものである。この温水配管２は、図示しないボイラに接続するタンクにポンプ装置を介して接続したものである。該タンクには温度センサが付設してあり、このタンク内の温水の温度を所定温度に維持するようにボイラを制御するようになっている。該タンクの外装には断熱材が施してあるのは云うまでもない。
【００１９】
前記蓄熱接触層１ｄは、この実施例では、火山岩細粒と高密度の溶岩の粗粒と楕円球状の黒石の混合物中にほぼ球状の源治川焼成石を配して構成した砂場状の層である。源治川焼成石は、前記珪藻土質の源治川石を破砕してなる粉状物を直径３０ｍｍ前後のほぼ球状に成形して焼成した部材であり、多孔性に構成され、高い臭いの吸着力を有している。
【００２０】
前記方形浴槽４は、図４及び図７に示すように、平面から見て長方形の構成要素であり、この実施例では、その内法の長さ寸法を２０００ｍｍに設定し、幅寸法を１０００ｍｍに設定した。普通の体格の大人の入浴者が問題なく使用できる寸法としたわけである。これより大型に構成することも小型に構成することも当然可能である。
【００２１】
前記側壁部５は、前記方形浴槽４を、その四辺相当部で内外を区画して構成するものであり、この実施例では、これは、図４及び図７に示すように、板材をそのように、平面から見て長方形に結合して構成したものである。その高さは、この実施例では２００ｍｍとした。なお、この実施例では、上記のように、高さを２００ｍｍに構成した側壁部５及び後記仕切板１６の上に重ねて配し得る高さ２００ｍｍの追加側壁部１５を用意し、図８(b)に示すように、これを前記側壁部５及び仕切板１６上に重ねて配して方形浴槽４の内の下半身装入側４ａの側の高さを二倍（４００ｍｍ）にまで高めることができるようにもしてある。この追加側壁部１５は、その最下端に、側壁部５及び仕切板１６の上端内側に進入してこれと嵌合するための嵌合係止部１５ａが突設してある。以上の通りであるから、追加側壁部１５は、平面から見て閉じた四辺形であり、その平面寸法は、云うまでもなく、下半身装入側４ａに一致している。
【００２２】
前記仕切板６は、図４〜図６に示すように、前記方形浴槽４を前記上半身装入側４ｂと前記下半身装入側４ａとに仕切る位置、この実施例では、該方形浴槽４を、概ね７：１３の割合で該上半身装入側４ａと該下半身装入側４ｂとに割り当て得る長さ方向の位置に挿脱自在に配したものである。該方形浴槽４のこの位置に於ける両側の側壁部５には、対面する状態にガイド溝５ａ、５ａを構成し、前記仕切板６の両側を該ガイド溝５ａ、５ａでスライド昇降自在に支持する。このガイド溝５ａ、５ａは、同図に示すように、両側の側壁部５の該当部位の両側に固設した案内板５ａ１、５ａ１で構成したものである。
【００２３】
また前記仕切板６は、図４〜図６に示すように、その中央下部に入浴者の身体の腹部付近を通過させる半円切欠部６ａを切欠開口してあり、この半円切欠部６ａのサイズは、前記方形浴槽４の幅方向の１／３を若干越える直径を有するものに構成したものである。
【００２４】
前記斜面部７は、前記のように、前記方形浴槽４の上半身装入側４ｂに配したものであり、図５に示すように、該方形浴槽４の端部側に向かって高くなるように構成したものである。この実施例では、図４〜図６に示すように、該斜面部７は、斜面板７ａとその裏面両側に固設した脚板７ｂ、７ｂで構成したものである。該脚板７ｂ、７ｂは、図５に示すように、斜辺と垂辺と底辺とからなる直角三角形の板材で構成したものであり、図５及び図６に示すように、前記斜面板７ａは、その裏面を該脚板７ｂ、７ｂの各斜辺に接合して固定し、所定角度の斜面状態に保持できるようにしてあるものである。
【００２５】
なお該斜面板７ａは、上記脚板７ｂ、７ｂに代えて、斜面上部側の端部下に伸縮自在な脚部材を配して斜面の角度を調整可能に構成することもできる。具体的には、図９(a)、(b)に示すように、斜面板７ａの裏面に伸縮調整脚７ｃ、７ｃを取り付けて構成する。該伸縮調整脚７ｃ、７ｃは、同図に示すように、より詳しくは、斜面板７ａの斜面上部側となる端部下の両側に垂下状態に取り付ける。また該伸縮調整脚７ｃ、７ｃは、上部の長ナット部７ｃ１、これに螺合したボルト部７ｃ２、該ボルト部７ｃ２の下端に結合したジョイント部７ｃ３及び該ジョイント部７ｃ３を上部に構成したパッド部７ｃ４で構成したものであり、最上部の長ナット部７ｃ１の上端を前記斜面板７ａの裏面に、前記のように、固設したものである。なお上記ジョイント部７ｃ３は、ユニバーサルジョイントであり、これを構成したパッド部７ｃ４はどの方向にも一定以内の角度範囲で傾くことが可能となっている。
【００２６】
従って前記斜面板７ａは、前記両伸縮調整脚７ｃ、７ｃの各ボルト部７ｃ２、７ｃ２を所定方向に回転させてその長さを適切に調節することにより、傾斜角度を自在に調節することができる。なお、該伸縮調整脚７ｃ、７ｃは、これらを、以上のようにして伸縮させると、鉛直状態を保持できなくなるが、パッド部７ｃ４、７ｃ４の上部にジョイント部７ｃ３を配してあるため、パッド部７ｃ４、７ｃ４は自在に角度を変えてその下方の当接面に不都合なく接合することができる。
【００２７】
前記被覆部材８は、図４及び図５に示すように、前記方形浴槽４の下半身装入側４ａの上部を閉じる構成要素であるが、これは、同図に示すように、５枚の同サイズの長方形の板材である支分蓋材８ａ、８ａ…で構成したものであり、単にこれらを該方形浴槽４の下半身装入側４ａの上部に配列載置したものである。当然、どの位置のそれも着脱自在である。
【００２８】
なお、図７及び図８(a)、(b)に示すように、前記仕切板６を前記半円切欠部６ａのない仕切板１６に交換し、他方、前記被覆部材８の内、該仕切板１６に最も近い位置の支分蓋材８ａとして、該仕切板１６側に上半身を起こした入浴者の腹部乃至胸部が通過可能な半円形切欠８ａ１を構成したそれを採用し、必要に応じて、このようにセットできるようにしておくものとする。
【００２９】
以上のような岩盤浴装置は、図１及び図２に示すように、この実施例では、専用の建家１１を構築し、その二部屋の内の一方である浴室１１ａにこれを配することとし、他方のシャワー室１１ｂに図示しないシャワー装置をセットしたものである。勿論、このような建家１１ではなく、住居の一部や種々の健康施設の一部等に構成することとするのも不都合でないのは云うまでもない。
【００３０】
従ってこの実施例の岩盤浴装置によれば、腹部以下のみを高温状態の中に置き、上半身は概ね常温の中に置くことができるため、頭部や胸部を高温に置いた場合の心臓に対する悪影響を回避し、長時間にわたってこれを利用し、温熱効果による優れた効果を確実に得ることができる。また岩盤浴の後にシャワーを浴びて汗を流し、身体を清潔に保持することも可能である。
【００３１】
この岩盤浴装置は、二通りの用法が可能であり、その一つは、次の通りである。
まず、前記方形浴槽４の上半身装入側４ｂと下半身装入側４ａとの境界に、前記のように、半円切欠部６ａを開口した仕切板６をセットし、被覆部材８の最も仕切板６に近接する支分蓋材８ａとして半円切欠８ａ１を備えていない物をセットしておく。
【００３２】
この後、入浴者は、下着のみになり、又は専用の浴着を着用した上で、下半身を前記仕切板６の半円切欠部６ａを通じて下半身装入側４ａに装入し、上半身は上半身装入側４ｂの斜面部７上に横たえる。入浴者は、仰向け又は横向き等の姿勢を自由に取ることができる。
【００３３】
なお、斜面部７の上面上には、マット類等を敷いておき、斜面部７が入浴者の身体に強く当たらないようにしておくことが好ましい。また岩盤部１の上面上にも必要に応じて薄いシート状物を配しておいても良い。
【００３４】
この用法では、入浴者の下半身は、下半身装入側４ａの中で、岩盤部１上に位置し、前記温水配管２で加熱された岩盤部１から放射される遠赤外線を受け、かつその周囲及び上部が閉じられ充分高温となっている中に置かれることになる。
【００３５】
これに対して、入浴者の上半身は、開放されている上半身装入側４ｂに位置し、かつ斜面部７上に横たわった状態にあるため、楽な姿勢であり、かつその心臓等が高温下に置かれることがない。そのため、心臓等に無用の負担を掛けることなく、無理な姿勢を取ることなく、長時間にわたって下半身に温熱効果を加え続けることが可能になる。
【００３６】
もう一つは、次の通りである。
この場合は、図７及び図８(a)に示すように、前記仕切板６を前記半円切欠部６ａのない仕切板１６に交換し、他方、前記被覆部材８の内、該仕切板１６に最も近い位置の支分蓋材８ａとして、該仕切板１６側に半円形切欠８ａ１を構成したそれをセットしておく。
【００３７】
また、この場合、必要に応じて、図８(b)に示すように、側壁部５の上に追加側壁部１５を載せ、浴槽部３の下半身装入側４ａの高さをほぼ二倍の高さまで高めておくこととする。この場合も、同図に示すように、被覆部材８の用法は同じである。
【００３８】
このようにセットした上で、入浴者は、前記支分蓋材８ａの半円形切欠８ａ１を通じて、又は該支分蓋材８ａを一時的に外してその下半身を下半身装入側４ａ中に装入し、脚をその端部方向に向かって延ばした状態にする。該支分蓋材８ａを外した場合は、これを元に戻す。こうして入浴者の上半身、即ち、胸部以上の部分は概ね該支分蓋材８ａの半円形切欠８ａ１から浴槽部３の下半身装入側４ａの外に露出していることとなる。
【００３９】
従って、このように、上半身を起こした状態で、岩盤浴を行う場合にも、先に示した用法と同様の効果を得ることができる。またこのような用法では浴槽部３の深さが若干不足する場合には、その下半身装入側４ａの深さを増加させ、十分にこれに対応できる物でもある。
【図面の簡単な説明】
【００４０】
【図１】一実施例の岩盤浴装置をセットした建家の断面図。
【図２】一実施例の岩盤浴装置をセットした建家の屋根部を除く平面図。
【図３】(a)は一実施例の岩盤浴装置の温水配管の設置状態を示す平面説明図、(b)は一実施例の岩盤浴装置の岩盤部の一部切欠拡大断面図。
【図４】一実施例の岩盤浴装置の平面図。
【図５】図４のＡ−Ａ線断面図。
【図６】図４のＢ−Ｂ線断面図。
【図７】一実施例の他の使用態様の平面図。
【図８】(a)は図７のＣ−Ｃ線断面図、(b)は追加側壁部をセットした状態の図７のＣ−Ｃ線断面図。
【図９】(a)は他の例の斜面部のみを示す拡大側面図、(b)は(a)の左方向から見た斜面部の図。
【符号の説明】
【００４１】
１    岩盤部
１ａ  仕切ボード
１ｂ  断熱材
１ｃ  コンクリート蓄熱層
１ｄ  蓄熱接触層
２    温水配管
２ａ  往路配管
２ｂ  復路配管
３    浴槽部
４    方形浴槽
４ｂ  上半身装入側
４ａ  下半身装入側
５    側壁部
５ａ  ガイド溝
５ａ１  案内板
６    仕切板
６ａ  半円切欠部
７    斜面部
７ａ  斜面板
７ｂ  脚板
７ｃ  伸縮調整脚
７ｃ１  長ナット部
７ｃ２  ボルト部
７ｃ３  ジョイント部
７ｃ４  パッド部
８    被覆部材
８ａ  支分蓋材
８ａ１  半円形切欠
９    基礎
１０  砕石層
１１  建家
１１ａ  浴室
１１ｂ  シャワー室
１５  追加側壁部
１５ａ  嵌合係止部
１６  仕切板
【図１】
2008194395.tif 000003
【図２】
2008194395.tif 000004
【図３】
2008194395.tif 000005
【図４】
2008194395.tif 000006
【図５】
2008194395.tif 000007
【図６】
2008194395.tif 000008
【図７】
2008194395.tif 000009
【図８】
2008194395.tif 000010
【図９】
2008194395.tif 000011